(57)【特許請求の範囲】
【請求項１】
筒状で一端が閉塞された遮光性のキャップにより、透光性の合成樹脂からなる指針本体の取付部を覆い、該取付部に連設された前記指針本体の指示部の先部を前記キャップの周面から該キャップの外方に延出させ、前記キャップの内部に位置する前記指示部の基部のうち前記キャップの他端側に位置する光入射面から入射した光を、前記基部で前記キャップの両端を結ぶ軸方向において前記光入射面と対向する基部部分に形成された光反射面により前記指示部の先部側に反射させて、該光反射面により反射された光により前記先部を光輝させる計器用指針において、
前記キャップの軸方向及び前記指示部の延在方向の双方と直交する該指示部の幅方向における、前記光入射面と、該幅方向における前記指示部の先部との寸法差を、前記光反射部で反射された光が前記指示部の先部の先端に直接到達する光路を形成する寸法差で形成した、
ことを特徴とする計器用指針。
【請求項２】
筒状で一端が閉塞された遮光性のキャップにより、透光性の合成樹脂からなる指針本体の取付部を覆い、該取付部に連設された前記指針本体の指示部の先部を前記キャップの周面から該キャップの外方に延出させ、前記キャップの内部に位置する前記指示部の基部のうち前記キャップの他端側に位置する光入射面から入射した光を、前記基部で前記キャップの両端を結ぶ軸方向において前記光入射面と対向する基部部分に形成された光反射面により前記指示部の先部側に反射させて、該光反射面により反射された光により前記先部を光輝させる計器用指針において、
前記キャップの軸方向及び前記指示部の延在方向の双方と直交する該指示部の幅方向における、該指示部の先部の両側面を前記指示部の延在方向に延長した該両側面の延長線上に、前記指示部の幅方向における該指示部の基部の両側面をそれぞれ延在させた、
ことを特徴とする計器用指針。
【発明の詳細な説明】
【０００１】
【発明の属する技術分野】
本発明は計器用指針に係り、特に、自動車等の車両の計器の文字板部分に配設れ、この文字板の目盛等を指示する自発光式の計器用指針に関する。
【０００２】
【従来の技術】
自動車等の車両において、車両速度やエンジン回転数等の計測値を表示するアナログ式計器の指針として、光源からの光を内部に導いて自身を光輝させる発光タイプのものがある。
【０００３】
図３は従来から用いられている一般的な発光タイプの指針の概略構成例を示す底面図で、図３中において引用符号１Ｂで示す指針は、指針本体３Ａとキャップ５Ａを備えている。
【０００４】
前記キャップ５Ａは、光の透過を不能とする例えば黒色等の着色樹脂からなり、円形の天板５１Ａと、この天板５１Ａの周縁から該天板５１Ａの中心軸方向に延出する環状の周壁部５３Ａとによって、一端が開放された略円柱状に形成されている。
【０００５】
前記指針本体３Ａは、光の透過が可能な透明樹脂により形成されており、前記キャップ５Ａで覆われる扁平な取付部３１Ａと、この取付部３１Ａに連設され文字板（図示せず）上の指示箇所を指示する指示部３３Ａとを有している。
【０００６】
前記取付部３１Ａは、前記キャップ５の周壁部５３の周方向に１８０゜位相をずらした内周箇所に接する円弧状の縁部を両端に有しており、取付部３１Ａの裏面３１Ａａで天板５１Ａの中心上に位置する取付部３１Ａ箇所には、指針本体３Ａを回転駆動する不図示の内機の指針軸を圧入するための通孔３１Ａｄを有する円筒状の指針袴３１Ａｂが突設されている。
【０００７】
前記指示部３３Ａは、前記取付部３１に連設された基部３３Ａａと、この基部３３Ａａに連設された先部３３Ａｃとを有している。
【０００８】
前記基部３３Ａａの裏面３３Ａｂは、取付部３１Ａの裏面３１Ａａと同一平面上に延在していて、この基部３３Ａａから前記指針袴３１Ａｂの径方向に突出する先部３３Ａｃを光輝させるための光が入射される光入射面に形成されており、指針袴３１Ａの軸方向である指示部３３Ａの高さ方向において裏面３３Ａｂと対向する基部３３Ａａの表面（図示せず）は、前記指針袴３１Ａｂの径方向においてこの指針袴３１Ａｂから離れるにつれて裏面３３Ａｂから遠ざかる向きに傾斜した光反射面に形成されている。
また、前記先部３３Ａｃは、基部３３Ａａの表面に連なる表面（図示せず）側よりも、これに対向する裏面３３Ａｅ側の方が、先部３３Ａｃの延在方向Ｂと直交するこの先部３３Ａｃの幅方向Ｃにおける寸法が小さい断面略逆台形状を呈している。
さらに、先部３３Ａｃは全体として、前記指示部３３Ａの高さ方向と先部３３Ａｃの幅方向Ｃとにおける寸法が、先端に向かうにつれて次第に小さくなる先細り状に形成されている。
【０００９】
尚、前記指示部３３Ａの先部３３Ａｃの裏面３３Ａｅと基部３３Ａａの裏面３３Ａｂの間には、先部３３Ａｃの裏面３３Ａｅの方が基部３３Ａａの裏面３３Ａｂよりも先部３３Ａｃの表面側に近くなるように、前記指示部３３Ａの高さ方向に段差が付けられている。
また、図３中３３Ａｇは、指示部３３Ａの裏面３３Ａｅにホットスタンプ等により形成された白色や橙色、赤色等の遮光用着色層、３３Ａｈ，３３Ａｊは指示部３３Ａの先部３３Ａｃの幅方向Ｃにおける各側面をそれぞれ示す。
【００１０】
そして、前記キャップ５Ａの周壁部５３Ａには、前記指針本体３Ａの指示部３３Ａの先部３３Ａｃを挿通するための切欠５５Ａが形成されている。
【００１１】
このように構成された前記指針１Ｂは、前記取付部３１Ａと指示部３３Ａの基部３３Ａａをキャップ５Ａで覆って周壁部５３Ａの内側に配置し、バランサ７を天板５１Ａと取付部３１Ａの間のキャップ５Ａ内部分に位置させると共に、指針袴３１Ａｂをキャップ５Ａの略中心軸上に位置させて、指示部３３Ａの基部３３Ａａ寄りの先部３３Ａｃ部分を、キャップ５Ａの切欠５５Ａに嵌合して、先部３３Ａｃの先端側をキャップ５Ａの径方向外方に延出させた上で、不図示の文字板の裏側から通孔を挿通して文字板の表側に延出した前記不図示の内機の指針軸の先端を、指針袴３１Ａｂの通孔３１Ａｄに圧入することで組み付けられる。
【００１２】
そして、前記指針軸に圧入された指針１Ａは、不図示の文字板の裏側に配設された導光板（図示せず）を介して不図示の光源から導かれた光を、この導光板の反射面により指針１Ａ側に反射させて、基部３３Ａａの光入射面である裏面３３Ａｂから基部３３Ａａの内部に入射させ、この入射光を、基部３３Ａａの光反射面である表面において先部３３Ａｃ側に反射させて、この表面で反射された光により先部３３Ａｃが内部から照明されて光輝するように構成されている。
【００１３】
ところで、一般に導光板の反射面は、指針１Ｂがどの回転位置にあっても基部３３Ａａの光入射面である裏面３３Ａｂに光を入射させることができるように、指針１Ｂの回転時における基部３３Ａａの裏面３３Ａｂの軌跡を全てカバーする形状で形成されており、従って、上述した構成の指針１Ｂでは、光入射面としての基部３３Ａａの裏面３３Ａｂに、指示部３３Ａの先部３３Ａｃを光輝させるための光が導光板から照射されるだけでなく、取付部３１Ａの裏面３１Ａａに、先部３３Ａｃを光輝させるのには全く必要のない光が導光板から照射される。
【００１４】
ところが、上述した光源からの光は一般に拡散光であるため、先部３３Ａｃを光輝させるのには全く必要のない光が取付部３１Ａの裏面３１Ａａに照射されてしまうと、この裏面３１Ａａや対向する取付部３１Ａの表面により、導光板からの光が反射されて拡散し、その反射された拡散光がキャップ５Ａの周壁部５３Ａの縁から外側に漏れて、このキャップ５Ａの周辺の文字板部分がぼんやりと明るく見えてしまうというハレーション現象を起こしてしまう。
【００１５】
そこで、このキャップ５Ａの周囲の文字板部分に起こるハレーション現象をなくすために、図４及び図５に示す改良型の指針が新たに提案された。
【００１６】
図４は従来の改良型に係る発光タイプの指針の概略構成例を示す断面図、図５は同底面図で、これらの図中において図３に示すものと同一の部材、箇所には、図３で付したものと同一の引用符号を付して説明する。
そして、図４及び図５中引用符号１Ａで示す指針は、指針本体３Ａとキャップ５Ａを備えている。
【００１７】
前記指針本体３Ａは、取付部３１Ａと指示部３３Ａとを有しており、透過性樹脂により形成されている。
前記取付部３１Ａは、前記指示部３３Ａで前記キャップ５Ａの内部に位置する前記取付部３１Ａ寄りの基部３３Ａａと合わせて、図５に一部破線で示すように、底面から見て略円形に形成されている点が、図３に示す指針１Ｂとは構成が異なっており、また、取付部３１Ａの裏面３１Ａａでこの円形の略中心箇所に突設された前記指針袴３１Ａｂの通孔３１Ａｄは、図４に示すように、取付部３１Ａの表面３１Ａｃに亘って貫設されている。
尚、図４中引用符号３１Ａｃは取付部３１Ａの表面、３３Ａｄは指示部３３Ａの基部３３Ａａの表面、３３Ａｆは指示部３３Ａの先部３３Ａｃの表面、Ａは指示部３３Ａの高さ方向をそれぞれ示す。
【００１８】
前記キャップ５Ａは、例えば黒色等の遮光性樹脂からなり、天板５１Ａの内面略中心箇所には、指針本体３Ａの取付部３１Ａの通孔３１Ａｄに挿入可能な位置決めピン５１Ａａが突設されている点が、図３に示す指針１Ｂとは構成が異なっている。
【００１９】
このように構成された前記指針１Ａは、位置決めピン５１Ａａを取付部３１Ａの表面３１Ａｃ側から通孔３１Ａｄに挿入しつつ、前記取付部３１Ａと指示部３３Ａの基部３３Ａａをキャップ５Ａで覆って周壁部５３Ａの内側に配置し、バランサ７を天板５１Ａと取付部３１Ａの間のキャップ５Ａ内部分に位置させると共に、指針袴３１Ａｂをキャップ５Ａの略中心軸上に位置させて、指示部３３Ａの基部３３Ａａ寄りの先部３３Ａｃ部分を、キャップ５Ａの切欠５５Ａに嵌合して、先部３３Ａｃの先端側をキャップ５Ａの径方向外方に延出させた上で、不図示の文字板の裏側から通孔を挿通して文字板の表側に延出した前記不図示の内機の指針軸の先端を、指針袴３１Ａｂ側から通孔３１Ａｄに圧入することで組み付けられる。
【００２０】
さらに、前記指針１Ａは、図４及び図５に示すように、例えば黒色等の遮光性樹脂からなる略円板状のカバー３５Ａをキャップ５に取り付け固定して、取付部３１Ａの裏面３１Ａａから指示部３３Ａの基部３３Ａａの裏面３３Ａｂに亘るキャップ５の開放部分を覆い、光入射面である指示部３３Ａの基部３３Ａａの裏面３３Ａｂから基部３３Ａａの内部への導光板からの光の入射を、この裏面３３Ａｂに臨むカバー３５Ａ箇所に形成した光通過孔３５Ａａにより確保するようにしている。
【００２１】
このように形成された指針１Ａは、前記指針軸を指針袴３１Ａｂの通孔３１Ａｄに圧入した状態で、不図示の文字板の裏側に配設された導光板（図示せず）を介して不図示の光源から導かれた光を、基部３３Ａａの光入射面である裏面３３Ａｂから基部３３Ａａの内部に、前記高さ方向Ａである裏面３３Ａｂと略直交する向きで入射させ、この入射光を、基部３３Ａａの光反射面である表面３３Ａｄにおいて先部３３Ａｃ側に反射させて、この表面３３Ａｄで反射された光により先部３３Ａｃが内部から照明されて光輝するように構成されている。
【００２２】
上述した指針１Ａによれば、導光板から反射された光がカバー３５Ａにより遮られて取付部３１の裏面３１Ａａに照射されなくなり、従って、取付部３１の裏面３１Ａａや表面３１Ａｃで反射された光による上述のハレーション現象の発生を防ぐことができる。
【００２４】
【発明が解決しようとする課題】
しかしながら、上述した図３の構成による指針１Ｂでは、指針本体３Ａの指示部３３Ａの先部３３Ａｃが基部３３Ａａよりも幅方向Ｃの寸法が小さく、これら基部３３Ａａと先部３３Ａｃとの間に幅方向Ｃにおいて段差が生じるので、基部３３Ａａの裏面３３Ａｂから入射して表面で反射された光が、上述した基部３３Ａａと先部３３Ａｃとの段差を構成する基部３３Ａａの端面３３Ａｋ（図３参照）に照射されて、先部３３Ａｃに到達する前に遮られないように、基部３３Ａａの表面により光が比較的基部３３Ａａ寄りの先部３３Ａｃの両側面３３Ａｈ，３３Ａに向けて反射させるために、基部３３Ａａの表面の形状、傾き角度を設定する必要が生じる。
【００２５】
同様に、図４及び図５の構成による指針１Ａでも、カバー３５の光通過孔３５Ａａにより確保される、導光板からの光の入射が可能な指示部３３Ａの基部３３Ａａの裏面３３Ａｂ部分よりも、指示部３３Ａの先部３３Ａｃの方が幅方向Ｃの寸法が小さいので、基部３３Ａａと先部３３Ａｃとの間に生じる幅方向Ｃでの段差を構成する基部３３Ａａの端面３３Ａｋ（図５参照）に照射されて、先部３３Ａｃに到達する前に遮られないように、基部３３Ａａの表面３３Ａｄにより光が比較的基部３３Ａａ寄りの先部３３Ａｃの両側面３３Ａｈ，３３Ａに向けて反射させるために、基部３３Ａａの表面３３Ａｄの形状、傾き角度を設定する必要が生じる。
【００２６】
このため、前記指針１Ｂ，１Ａではいずれも、丁度キャップ５Ａの切欠５５Ａに嵌合される、指示部３３Ａの基部３３Ａａ寄りの先部３３Ａｃ部分の各側面３３Ａｈ，３３Ａｊに、基部３３Ａａの表面３３Ａｄで反射された光の大半が直角に近い角度で基部３３Ａａの内側から照射されて、この光の一部が、先部３３Ａｃの内側に反射できずに各側面３３Ａｈ，３３Ａｊから先部３３Ａｃの外方に出射して、切欠５５Ａからキャップ５の外方に光が漏れ、この切欠５５Ａの部分がぼんやりと明るく見えてしまうというハレーション現象を起こしてしまうという不具合があった。
【００２７】
本発明は前記事情に鑑みなされたもので、本発明の目的は、指示部が外方に突出するキャップ部分でのハレーション現象の発生を抑制することができる計器用指針を提供することにある。
【００２８】
【課題を解決するための手段】
前記目的を達成するため請求項１に記載した本発明の計器用指針は、筒状で一端が閉塞された遮光性のキャップにより、透光性の合成樹脂からなる指針本体の取付部を覆い、該取付部に連設された前記指針本体の指示部の先部を前記キャップの周面から該キャップの外方に延出させ、前記キャップの内部に位置する前記指示部の基部のうち前記キャップの他端側に位置する光入射面から入射した光を、前記基部で前記キャップの両端を結ぶ軸方向において前記光入射面と対向する基部部分に形成された光反射面により前記指示部の先部側に反射させて、該光反射面により反射された光により前記先部を光輝させる計器用指針において、前記キャップの軸方向及び前記指示部の延在方向の双方と直交する該指示部の幅方向における、前記光入射面と、該幅方向における前記指示部の先部との寸法差を、前記光反射面で反射された光が前記指示部の先部の先端に直接到達する光路を形成する寸法差で形成したことを特徴とする。
【００２９】
また、請求項２に記載した本発明の計器用指針は、筒状で一端が閉塞された遮光性のキャップにより、透光性の合成樹脂からなる指針本体の取付部を覆い、該取付部に連設された前記指針本体の指示部の先部を前記キャップの周面から該キャップの外方に延出させ、前記キャップの内部に位置する前記指示部の基部のうち前記キャップの他端側に位置する光入射面から入射した光を、前記基部で前記キャップの両端を結ぶ軸方向において前記光入射面と対向する基部部分に形成された光反射面により前記指示部の先部側に反射させて、該光反射面により反射された光により前記先部を光輝させる計器用指針において、前記キャップの軸方向及び前記指示部の延在方向の双方と直交する該指示部の幅方向における、該指示部の先部の両側面を前記指示部の延在方向に延長した該両側面の延長線上に、前記指示部の幅方向における該指示部の基部の両側面をそれぞれ延在させたことを特徴とする。
【００３０】
請求項１に記載した本発明の計器用指針によれば、光入射面から指針本体の指示部の基部に入射して光反射面で反射された光が、指示部の幅方向におけるこの指示部の先部の両側面に照射されずに先部の先端に到達することから、先部の両側面から先部の外方に光が漏れることがなくなり、この先部に近接して配設される、例えば、文字板がぼんやり明るく照らされるようなハレーション現象の発生を、抑制することが可能となる。
【００３１】
また、請求項２に記載した本発明の計器用指針によれば、指示部の幅方向における、光入射面と指示部の先部との寸法差がなくなることから、光入射面から指針本体の指示部の基部に入射して光反射面で反射された光が、指示部の幅方向における先部の両側面に照射されるのを確実に防止し、ハレーション現象の発生を確実に抑制することが可能となる。
【００３２】
【発明の実施の形態】
以下、本発明の実施形態について図１及び図２を参照して説明する。
図１は本発明の一実施形態に係る計器用指針の概略構成を示す断面図、図２は同底面図で、これらの図中において図３及び図４と同一の部材、箇所には、それらの図で付したものと同一の引用符号を付して説明する。
そして、図１及び図２において引用符号１で示す本実施形態の指針は、指針本体３とキャップ５を備えている。
【００３３】
前記指針本体３は、光の透過が可能な透明樹脂により形成されており、図１に示すように、外形略円形を呈する前記キャップ５で覆われる扁平な取付部３１と、この取付部３１に連設され文字板（図示せず）上の指示箇所を指示する指示部３３とを有している。
【００３４】
前記取付部３１の裏面３１ａでキャップ５の略中心に位置する箇所には、図２に示すように、指針本体３を回転駆動する不図示の内機の指針軸を圧入するための円筒状の指針袴３１ｂが突設され、この指針袴３１ｂの通孔３１ｄは、取付部３１の表面３１ｃに亘って貫設されている。
また、図１に示すように、前記取付部３１で指針袴３１ｂを挟んで指示部３３とは反対側の表面３１ｃ部分には、指針本体３が前記不図示の内機により回転駆動される際に指示部３３とのバランスを取るためのバランサ７が取着されている。
【００３５】
前記指示部３３の基部３３ａの裏面３３ｂは、取付部３１の裏面３１ａと同一平面上に延在していて、この基部３３ａから前記指針袴３１ｂの径方向に突出する先部３３ｃを光輝させるための光が入射される光入射面に形成されており、指示部３３の基部３３ａの表面３３ｂは、前記指針袴３１ｂの径方向においてこの指針袴３１ｂから離れるにつれて裏面３３ｂから遠ざかる向きに傾斜した光反射面に形成されている。
【００３６】
また、前記指示部３３の先部３３ｃは、基部３３ａの表面３３ｄに連なる表面３３ｆ側よりも、これに対向する裏面３３ｅ側の方が、図２に示すように、先部３３ｃの延在方向Ｂ（指示部の延在方向に相当）と直交するこの先部３３ｃの幅方向Ｃ（指示部の幅方向に相当）における寸法が小さい断面略逆台形状を呈している。
さらに、先部３３ｃは全体として、図１及び図２に示すように、前記幅方向Ｃと、表裏両面３３ｆ，３３ｅを結ぶ先部３３ｃの高さ方向Ａとにおける寸法が、先端に向かうにつれて次第に小さくなる先細り状に形成されている。
【００３７】
尚、前記指示部３３の先部３３ｃの裏面３３ｅと基部３３ａの裏面３３ｂの間には、先部３３ｃの裏面３３ｅの方が基部３３ａの裏面３３ｂよりも表面３３ｃ側に近くなるように、前記高さ方向Ａに段差が付けられている。
また、図１中３３ｇは、指示部３３の裏面３３ｅにホットスタンプ等により形成された白色や橙色、赤色等の遮光用着色層、図２中３３ｈ，３３ｊは指示部３３の先部３３ｃの前記幅方向における各側面、３３ｋ，３３ｍは指示部３３の基部３３ａの前記幅方向における各側面をそれぞれ示す。
【００３８】
そして、前記指針本体３の指示部３３の基部３３ａは、前記幅方向Ｃにおける寸法が先部３３ｃと略等しくなるように、先部３３ｃの延在方向Ｂにおいて基部３３ａの両側面３３ｋ，３３ｍが先部３３ｃの両側面３３ｈ，３３ｊの延長線上に位置するように形成され、基部３３ａの表面３３ｄは、基部３３ａの内側から照射される裏面３３ｂと略直交する向きの光を、途中で基部３３ａの両側面３３ｋ，３３ｍ、及び、先部３３ｃの両側面３３ｈ，３３ｊに照射、反射されることなく、先部３３ｃの先端３３ｎ（図２参照）に直接到達する向きに反射するように構成されている。
【００３９】
前記キャップ５は、光の透過を不能とする例えば黒色等の着色樹脂からなり、図１に示すように、前記取付部３１と指示部３３の基部３３ａとを合わせた部分に対応する大きさで円形の天板５１と、この天板５１の周縁から、図２に示すように、天板５１の中心軸方向に延出する環状の周壁部５３とによって、一端が開放された略円柱状に形成されている。
そして、前記周壁部５３には、前記指針本体３の指示部３３の先部３３ｃを挿通するための切欠５５が形成され、また、前記天板５１の内面略中心箇所には、指針本体３の取付部３１の通孔３１ｄに挿入可能な位置決めピン５１ａが突設されている。
【００４０】
このように構成された前記指針１は、位置決めピン５１ａを取付部３１の表面３１ｃ側から通孔３１ｄに挿入しつつ、前記取付部３１と指示部３３の基部３３ａをキャップ５で覆って周壁部５３の内側に配置し、バランサ７を天板５１と取付部３１の間のキャップ５内部分に位置させると共に、指針袴３１ｂをキャップ５の略中心軸上に位置させて、指示部３３の基部３３ａ寄りの先部３３ｃ部分を、キャップ５の切欠５５に嵌合して、先部３３ｃの先端３３ｎ側をキャップ５の径方向外方に延出させた上で、不図示の文字板の裏側から通孔を挿通して文字板の表側に延出した前記不図示の内機の指針軸の先端を、指針袴３１ｂ側から通孔３１ｄに圧入することで組み付けられ、この状態で、先部３３ｃの高さ方向Ａは、天板５１の中心軸方向に沿うこととなる。
従って、本実施形態では、指示部３３の先部３３ｃの高さ方向Ａが請求項中のキャップの軸方向に相当している。
【００４１】
次に、上述のように構成された本実施形態の指針１の作用について説明する。前記指針１の指針袴３１ｂの通孔３１ｄに不図示の内機の指針軸の先端を圧入すると、不図示の文字板の裏側に配設された導光板（図示せず）を介して不図示の光源から導かれた光が、指針本体３の指示部３３の基部３３ａの光入射面である裏面３３ｂから基部３３ａの内部に、前記高さ方向Ａである裏面３３ｂと略直交する向きで入射され、この入射光が、基部３３ａの光反射面である表面３３ｂにおいて先部３３ｃ側に向けて反射され、この表面３３ｂで反射されて先部３３ｃ側に導かれた光により、先部３３ｃが内部から照明されて光輝する。
【００４２】
このとき、基部３３ａの表面３３ｂで反射されて先部３３ｃに導かれた光が先部３３ｃの先端３３ｎに直接到達することから、途中で基部３３ａ及び先部３３ｃの両側面３３ｋ，３３ｍ、３３ｈ，３３ｊに照射されることがなく、従って、特に、先部３３ｃの両側面３３ｈ，３３ｊから外方に光が漏れて、先部３３ｃが光輝する際の輝度が下がることがなく、また、先部３３ｃの周囲に位置する文字板部分が、先部３３ｃの両側面３３ｈ，３３ｊから漏れた光でぼんやりと明るく見えるハレーション現象が発生することもない。
【００４３】
このように本実施形態によれば、光の透過が可能な透明樹脂により形成された指針本体３の取付部３１を、光の透過を不能とする例えば黒色等の着色樹脂からなり天板５１により一端を閉塞した環状の周壁部５３の内側に収容されるようにキャップ５で覆い、取付部３１に連設された指針本体３の指示部３３の基部３３ａを周壁部５３の内側に収容させると共に、この基部３３ａに連設された指示部３３の先部３３ｃをキャップ５の周壁部５３の径方向外方に延出させた指針１において、指示部３３の基部３３ａを、先部３３ｃの延在方向Ｂと直交するこの先部３３ｃの幅方向Ｃにおける寸法が先部３３ｃと略等しくなるように、先部３３ｃの延在方向Ｂにおいて基部３３ａの両側面３３ｋ，３３ｍが先部３３ｃの両側面３３ｈ，３３ｊの延長線上に位置するように形成した。
【００４４】
そして、指針本体３の基部３３ａの裏面３３ｂからこの裏面３３ｂと略直交する高さ方向Ａで内部に入射された光を、基部３３ａの表面３３ｄにより指示部３３の先部３３ｃ側に反射させて、この反射光により先部３３ｃを光輝させるに当たり、この反射光が、途中で基部３３ａの両側面３３ｋ，３３ｍ、及び、先部３３ｃの両側面３３ｈ，３３ｊに照射、反射されずに先部３３ｃの先端３３ｎに直接到達するように構成した。
【００４５】
このため、基部３３ａの表面３３ｄにより反射された光が、指示部３３の先部３３ｃの両側面３３ｈ，３３ｊから先部３３ｃの外方に漏れることがなくなり、この先部３３ｃに近接して配設される、例えば、文字板がぼんやり明るく照らされるようなハレーション現象の発生を、抑制することができる。
【００４６】
しかも、本実施形態の指針１によれば、指示部３３の先部３３ｃの延在方向Ｂにおいて基部３３ａの両側面３３ｋ，３３ｍが先部３３ｃの両側面３３ｈ，３３ｊの延長線上に位置するように形成したことから、幅方向Ｃにおける基部３３ａと先部３３ｃとの寸法差がなくなり、従って、基部３３ａと先部３３ｃとの境界に幅方向Ｃにおける段差を構成する端面ができないこととなる。
このため、光反射面である基部３３ａの表面３３ｄと指示部３３の先部３３ｃとの間の幅方向Ｃにおける寸法差をなくして、表面３３ｄによる幅方向Ｃでの反射角度をきつく設定しなくても、この表面３３ｄで反射された光を先部３３ｃに確実に入射させることができ、換言すると、基部３３ａの表面３３ｄが裏面３３ｂからの入射光を反射する角度を幅方向Ｃにおいてきつく設定しなくても済むことから、表面３３ｄで反射された光が先部３３ｃの両側面３３ｈ，３３ｊに照射されるのを確実に防止し、ハレーション現象の発生を確実に抑制することができる。
【００４７】
その上、本実施形態の指針１によれば、基部３３ａの表面３３ｄにより反射された光が基部３３ａの両側面３３ｋ，３３ｍに照射されることがないので、指針本体３の基部３３ａの両側面３３ｋ，３３ｍとキャップ５の周壁部５３の内周との間にかなりの間隔が空くことと相まって、周壁部５３の内周に光が照射されてキャップ５の周辺の文字板部分がぼんやりと明るく見えてしまうというハレーション現象の発生を防止することができる。
【００４８】
尚、本実施形態では、指針袴３１ｂが指針本体３の取付部３１の裏面３１ａから突設されてた指針１について説明したが、キャップ５の天板５１の裏面から突設した指針袴が指針本体３の取付部３１を貫通する構成の指針にも本発明は適用可能であり、また、本発明は、基部３３ａの裏面３３ｂ以外のキャップ５の開口部分をカバーで覆う構成の指針にも適用可能である。
また、バランサ７の配置や形状、並びに、有無については、本発明と関係なく任意である。
【００４９】
さらに、本実施形態では、基部３３ａの両側面３３ｋ，３３ｍが先部３３ｃの両側面３３ｈ，３３ｊの延長線上に位置する構成としたが、基部３３ａの表面３３ｄにより裏面３３ｂからの入射光を先部３３ｃの先端３３ｎに向けて反射するのに支障がない限り、基部３３ａの両側面３３ｋ，３３ｍが先部３３ｃの両側面３３ｈ，３３ｊよりも幅方向Ｃ外方に若干ずれた箇所に位置する構成としてもよい。
【００５０】
また、本発明は、キャップで覆われた指針本体部分から入射された光を反射させて、キャップから外方に延出する指針本体部分に導いてこの部分を光輝させる、所謂、自発光式の指針であれば、本実施形態で示した構成の指針１に限らず種々の計器用指針に広く適用できることは言うまでもない。
【００５１】
【発明の効果】
以上説明したように請求項１に記載した本発明の計器用指針によれば、筒状で一端が閉塞された遮光性のキャップにより、透光性の合成樹脂からなる指針本体の取付部を覆い、該取付部に連設された前記指針本体の指示部の先部を前記キャップの周面から該キャップの外方に延出させ、前記キャップの内部に位置する前記指示部の基部のうち前記キャップの他端側に位置する光入射面から入射した光を、前記基部で前記キャップの両端を結ぶ軸方向において前記光入射面と対向する基部部分に形成された光反射面により前記指示部の先部側に反射させて、該光反射面により反射された光により前記先部を光輝させる計器用指針において、前記キャップの軸方向及び前記指示部の延在方向の双方と直交する該指示部の幅方向における、前記光入射面と、該幅方向における前記指示部の先部との寸法差を、前記光反射面で反射された光が前記指示部の先部の先端に直接到達する光路を形成する寸法差で形成する構成とした。
【００５２】
このため、光入射面から指針本体の指示部の基部に入射して光反射面で反射された光が、指示部の幅方向におけるこの指示部の先部の両側面に照射されずに先部の先端に到達することから、先部の両側面から先部の外方に光が漏れることがなくなり、この先部に近接して配設される、例えば、文字板がぼんやり明るく照らされるようなハレーション現象の発生を、抑制することができる。
【００５３】
また、請求項２に記載した本発明の計器用指針によれば、筒状で一端が閉塞された遮光性のキャップにより、透光性の合成樹脂からなる指針本体の取付部を覆い、該取付部に連設された前記指針本体の指示部の先部を前記キャップの周面から該キャップの外方に延出させ、前記キャップの内部に位置する前記指示部の基部のうち前記キャップの他端側に位置する光入射面から入射した光を、前記基部で前記キャップの両端を結ぶ軸方向において前記光入射面と対向する基部部分に形成された光反射面により前記指示部の先部側に反射させて、該光反射面により反射された光により前記先部を光輝させる計器用指針において、前記キャップの軸方向及び前記指示部の延在方向の双方と直交する該指示部の幅方向における、該指示部の先部の両側面を前記指示部の延在方向に延長した該両側面の延長線上に、前記指示部の幅方向における該指示部の基部の両側面をそれぞれ延在させる構成とした。
【００５４】
このため、指示部の幅方向における、光入射面と指示部の先部との寸法差がなくなることから、光入射面から指針本体の指示部の基部に入射して光反射面で反射された光が、指示部の幅方向における先部の両側面に照射されるのを確実に防止し、ハレーション現象の発生を確実に抑制することができる。
【図面の簡単な説明】
【図１】本発明の一実施形態に係る計器用指針の概略構成を示す断面図である。
【図２】図１の計器用指針の断面図である。
【図３】従来例に係る計器用指針の一例の底面図である。
【図４】従来例に係る計器用指針の他の例の断面図である。
【図５】図４の計器用指針の底面図である。
【符号の説明】
１      計器用指針
３      指示本体
３１    取付部
３３    指示部
３３ａ  指示部基部
３３ｂ  指示部裏面（光入射面）
３３ｃ  指示部先部
３３ｄ  指示部表面（光反射面）
３３ｈ，３３ｊ  指示部先部側面
３３ｋ，３３ｍ  指示部基部側面
３３ｎ  指示部先端
５        キャップ
５３      周壁部（キャップ周面）
Ａ        指示部先部高さ方向（キャップ軸方向）
Ｂ        指示部先部延在方向
Ｃ        指示部先部幅方向
【図１】
0003644559.tif 000002
【図２】
0003644559.tif 000003
【図３】
0003644559.tif 000004
【図４】
0003644559.tif 000005
【図５】
0003644559.tif 000006